(57)【特許請求の範囲】
【請求項１】
照明負荷と交流電源との間に電気的に接続される一対の入力端子と、
前記一対の入力端子間において、双方向の電流の遮断・通過を切り替えるように構成されている双方向スイッチと、
前記照明負荷の光出力の大きさを指定する調光レベルを表す信号が入力される入力部と、
電荷を蓄えることで制御電源を生成する蓄電部と、
前記蓄電部から制御電源の供給を受けて動作し、前記照明負荷を点灯させる点灯モードでは、前記交流電源の交流電圧の半周期ごとに、前記調光レベルに応じた長さのオン時間に、前記双方向スイッチをオン状態に制御する制御部と、
前記一対の入力端子から前記蓄電部に電流を流す第１充電部と、
前記一対の入力端子から見たインピーダンスが前記第１充電部よりも低インピーダンスとなるように構成され、前記一対の入力端子から前記蓄電部に電流を流す第２充電部と、
前記一対の入力端子から前記蓄電部に電流を流す充電部として、前記照明負荷が消灯する消灯モードでは前記第１充電部を選択し、前記点灯モードでは前記第２充電部を選択するように、前記第１充電部と前記第２充電部とを切り替える切替制御部と、
を備える調光装置。
【請求項２】
照明負荷と交流電源との間に電気的に接続される一対の入力端子と、
前記一対の入力端子間において、双方向の電流の遮断・通過を切り替えるように構成されている双方向スイッチと、
前記照明負荷の光出力の大きさを指定する調光レベルを表す信号が入力される入力部と、
電荷を蓄えることで制御電源を生成する蓄電部と、
前記蓄電部から制御電源の供給を受けて動作し、前記照明負荷を点灯させる点灯モードでは、前記交流電源の交流電圧の半周期ごとに、前記調光レベルに応じた長さのオン時間に、前記双方向スイッチをオン状態に制御する制御部と、
前記一対の入力端子から前記蓄電部に電流を流す充電部とを備え、
前記充電部は、前記蓄電部にそれぞれ充電電流を流す第１充電部と第２充電部とを有し、
前記第２充電部のインピーダンスが前記第１充電部のインピーダンスよりも小さく、
前記点灯モードにおいて前記蓄電部に電流を流す場合の前記充電部のインピーダンスが、前記照明負荷が消灯する消灯モードにおいて前記蓄電部に電流を流す場合の前記充電部のインピーダンスよりも小さい、
調光装置。
【請求項３】
前記第２充電部は、前記切替制御部から入力される切替信号に応じて、前記一対の入力端子から前記蓄電部に流れる電流の遮断・通過を切り替えるスイッチ素子を有する
請求項１又は２に記載の調光装置。
【請求項４】
前記交流電圧の位相を検出する位相検出部を、更に備え、
前記制御部は、前記点灯モードにおいて前記位相検出部からの検出信号に基づき前記交流電圧の半周期の始点から、前記オン時間を含めた可変時間が経過するまで、前記双方向スイッチをオン状態に制御するように構成されている
請求項１〜３のいずれか１項に記載の調光装置。
【請求項５】
前記蓄電部の電圧を検出する電圧検出部と、
前記点灯モードにおいて、前記第２充電部が前記蓄電部に電流を流している状態で、前記電圧検出部で検出される電圧が所定の閾値に達すると、前記蓄電部での前記制御電源の生成を停止させる停止部とを、更に備える
請求項１〜４のいずれか１項に記載の調光装置。
【発明の詳細な説明】
【技術分野】
【０００１】
本発明は、照明負荷を調光する調光装置に関する。
【背景技術】
【０００２】
従来、照明負荷を調光する調光装置が知られている（例えば、特許文献１）。
【０００３】
特許文献１に記載された調光装置は、一対の端子と、制御回路部と、制御回路部に制御電源を供給する制御電源部と、照明負荷の調光レベルを設定する調光操作部とを備えている。
【０００４】
一対の端子間には、制御回路部及び制御電源部それぞれが並列に接続されている。また、一対の端子間には、交流電源と照明負荷との直列回路が接続される。照明負荷は、複数のＬＥＤ（Light Emitting Diode）素子と、各ＬＥＤ素子を点灯させる電源回路とを備えている。電源回路は、ダイオードと電解コンデンサとの平滑回路を備えている。
【０００５】
制御回路部は、照明負荷に供給する交流電圧を位相制御するスイッチ部と、スイッチ部を駆動するスイッチドライブ部と、スイッチドライブ部及び制御電源部を制御する制御部と、を備えている。
【０００６】
制御電源部は、スイッチ部に並列に接続されている。制御電源部は、交流電源の交流電圧を制御電源に変換する。制御電源部は、制御電源を蓄積する電解コンデンサを備えている。
【０００７】
制御部は、制御電源部から電解コンデンサを通じて制御電源が供給される。制御部は、マイクロコンピュータ（以下、「マイコン」）を備えている。マイコンは、調光操作部で設定された調光レベルに応じて、交流電圧の半サイクルごとの期間途中で、照明負荷への給電を遮断する逆位相制御を行う。
【先行技術文献】
【特許文献】
【０００８】
【特許文献１】特開２０１３−１４９４９８号公報
【発明の概要】
【発明が解決しようとする課題】
【０００９】
本発明は、より多くの種類の照明負荷に対応可能な調光装置を提供することを目的とする。
【課題を解決するための手段】
【００１０】
本発明の調光装置は、照明負荷と交流電源との間に電気的に接続される一対の入力端子と、前記一対の入力端子間において、双方向の電流の遮断・通過を切り替えるように構成されている双方向スイッチと、前記照明負荷の光出力の大きさを指定する調光レベルを表す信号が入力される入力部と、電荷を蓄えることで制御電源を生成する蓄電部と、前記蓄電部から制御電源の供給を受けて動作し、前記照明負荷を点灯させる点灯モードでは、前記交流電源の交流電圧の半周期ごとに、前記調光レベルに応じた長さのオン時間に、前記双方向スイッチをオン状態に制御する制御部と、前記一対の入力端子から前記蓄電部に電流を流す第１充電部と、前記一対の入力端子から見たインピーダンスが前記第１充電部よりも低インピーダンスとなるように構成され、前記一対の入力端子から前記蓄電部に電流を流す第２充電部と、前記一対の入力端子から前記蓄電部に電流を流す充電部として、前記照明負荷が消灯する消灯モードでは前記第１充電部を選択し、前記点灯モードでは前記第２充電部を選択するように、前記第１充電部と前記第２充電部とを切り替える切替制御部と、を備える。
また、本発明の一態様の調光装置は、照明負荷と交流電源との間に電気的に接続される一対の入力端子と、前記一対の入力端子間において、双方向の電流の遮断・通過を切り替えるように構成されている双方向スイッチと、前記照明負荷の光出力の大きさを指定する調光レベルを表す信号が入力される入力部と、電荷を蓄えることで制御電源を生成する蓄電部と、前記蓄電部から制御電源の供給を受けて動作し、前記照明負荷を点灯させる点灯モードでは、前記交流電源の交流電圧の半周期ごとに、前記調光レベルに応じた長さのオン時間に、前記双方向スイッチをオン状態に制御する制御部と、前記一対の入力端子から前記蓄電部に電流を流す充電部とを備え、前記充電部は、前記蓄電部にそれぞれ充電電流を流す第１充電部と第２充電部とを有し、前記第２充電部のインピーダンスが前記第１充電部のインピーダンスよりも小さく、前記点灯モードにおいて前記蓄電部に電流を流す場合の前記充電部のインピーダンスが、前記照明負荷が消灯する消灯モードにおいて前記蓄電部に電流を流す場合の前記充電部のインピーダンスよりも小さい。
【発明の効果】
【００１１】
本発明は、より多くの種類の照明負荷に対応可能になる、という利点がある。
【図面の簡単な説明】
【００１２】
【図１】実施形態に係る調光装置の構成を示す概略回路図である。
【図２】実施形態に係る調光装置の電源部の回路図である。
【図３】実施形態に係る調光装置の動作を示すタイミングチャートである。
【図４】実施形態の変形例に係る調光装置の構成を示す概略回路図である。
【発明を実施するための形態】
【００１３】
（実施形態）
（１．１）構成
本実施形態の調光装置１は、図１及び図２に示すように、一対の入力端子１１，１２と、双方向スイッチ２と、入力部４と、電源部５（蓄電部５０、第１充電部５１、第２充電部５２）と、制御部６と、切替制御部６１と、を備えている。
【００１４】
一対の入力端子１１，１２は、照明負荷（以下、単に「負荷」という）７と交流電源８との間に電気的に接続される。双方向スイッチ２は、一対の入力端子１１，１２間において、双方向の電流の遮断・導通を切り替えるように構成されている。入力部４は、負荷７の光出力の大きさを指定する調光レベルが入力される。蓄電部５０は電荷を蓄えることで制御電源を生成する。制御部６は、蓄電部５０から制御電源の供給を受けて動作し、負荷７を点灯させる点灯モードでは、交流電源８の交流電圧Ｖａｃの半周期ごとに、調光レベルに応じた長さのオン時間に、双方向スイッチ２をオン状態に制御する。第１充電部５１及び第２充電部５２のそれぞれは、一対の入力端子１１，１２から蓄電部５０に電流を流す。第２充電部５２は、一対の入力端子１１，１２から見たインピーダンスが第１充電部５１よりも低インピーダンスとなるように構成されている。切替制御部６１は、一対の入力端子１１，１２から蓄電部５０に電流を流す充電部として、負荷７が消灯する消灯モードでは第１充電部５１を選択し、点灯モードでは第２充電部５２を選択するように、第１充電部５１と第２充電部５２とを切り替える。
【００１５】
ここでいう「消灯モード」とは負荷７を消灯させるモードであり、消灯モードでは双方向スイッチ２は常にオフ状態となる。また、「点灯モード」とは負荷７を点灯させるモードであり、点灯モードでは、制御部６が、交流電圧Ｖａｃの半周期ごとに、調光レベルに応じた長さのオン時間に双方向スイッチ２がオン状態になるように双方向スイッチ２を制御する。また、ここでいう「入力端子」は、電線等を接続するための部品（端子）として実体を有しなくてもよく、例えば電子部品のリードや、回路基板に含まれる導体の一部であってもよい。
【００１６】
以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。本実施形態の調光装置１は、図１及び図２に示すように、入力端子１１，１２、双方向スイッチ２、位相検出部３、入力部４、電源部５、制御部６、スイッチ駆動部９、ダイオードＤ１，Ｄ２、停止部１３、及び電圧検出部６２を備えている。なお、電源部５は、蓄電部５０、第１充電部５１、第２充電部５２を含み、制御部６に切替制御部６１が設けられている。
【００１７】
調光装置１は、２線式の調光装置であって、交流電源８に対して負荷７と電気的に直列に接続された状態で使用される。負荷７は通電時に点灯する。負荷７は、光源としてのＬＥＤ素子と、ＬＥＤ素子を点灯させる点灯回路と、を備えている。交流電源８は、例えば単相１００〔Ｖ〕、６０〔Ｈｚ〕の商用電源である。調光装置１は、一例として壁スイッチ等に適用可能である。
【００１８】
双方向スイッチ２は、入力端子１１，１２間において、双方向の電流の遮断・通過を切り替えるように構成されている。双方向スイッチ２は、例えば、入力端子１１，１２間に電気的に直列に接続されたスイッチ素子Ｑ１，Ｑ２の２個の素子からなる。例えば、スイッチ素子Ｑ１，Ｑ２の各々は、エンハンスメント形のｎチャネルＭＯＳＦＥＴ（Metal-Oxide-Semiconductor Field Effect Transistor）からなる半導体スイッチ素子である。
【００１９】
スイッチ素子Ｑ１，Ｑ２は、入力端子１１，１２間において、いわゆる逆直列に接続されている。つまり、スイッチ素子Ｑ１，Ｑ２はソース同士が互いに接続されている。スイッチ素子Ｑ１のドレインは入力端子１１に接続され、スイッチ素子Ｑ２のドレインは入力端子１２に接続されている。両スイッチ素子Ｑ１，Ｑ２のソースは、電源部５のグランドに接続されている。なお、電源部５のグランドは、調光装置１の内部回路にとって基準電位となる。
【００２０】
双方向スイッチ２は、スイッチ素子Ｑ１，Ｑ２のオン、オフの組み合わせにより、４つの状態を切替可能である。４つの状態には、両スイッチ素子Ｑ１，Ｑ２が共にオフである双方向オフ状態と、両スイッチ素子Ｑ１，Ｑ２が共にオンである双方向オン状態と、スイッチ素子Ｑ１，Ｑ２の一方のみがオンである２種類の一方向オン状態とがある。一方向オン状態では、スイッチ素子Ｑ１，Ｑ２のうち、オンの方のスイッチ素子から、オフの方のスイッチ素子の寄生ダイオードを通して入力端子１１，１２間が一方向に導通することになる。例えば、スイッチ素子Ｑ１がオン、スイッチ素子Ｑ２がオフの状態では、入力端子１１から入力端子１２に向けて電流を流す第１の一方向オン状態となる。また、スイッチ素子Ｑ２がオン、スイッチ素子Ｑ１がオフの状態では、入力端子１２から入力端子１１に向けて電流を流す第２の一方向オン状態となる。そのため、入力端子１１，１２間に交流電源８から交流電圧Ｖａｃが印加される場合、交流電圧Ｖａｃの正極性の半周期においては、第１の一方向オン状態が「順方向オン状態」、第２の一方向オン状態が「逆方向オン状態」となる。一方、交流電圧Ｖａｃの負極性の半周期においては、第２の一方向オン状態が「順方向オン状態」、第１の一方向オン状態が「逆方向オン状態」となる。
【００２１】
ここで、双方向スイッチ２は、「双方向オン状態」及び「順方向オン状態」の両状態がオン状態であり、「双方向オフ状態」及び「逆方向オン状態」の両状態がオフ状態である。
【００２２】
位相検出部３は、入力端子１１，１２間に印加される交流電圧Ｖａｃの位相を検出する。ここでいう「位相」には、交流電圧Ｖａｃのゼロクロス点、交流電圧Ｖａｃの極性（正極性、負極性）を含んでいる。位相検出部３は、交流電圧Ｖａｃのゼロクロス点を検出すると検出信号を制御部６に出力するように構成されている。位相検出部３は、ダイオードＤ３１と、第１検出部３１と、ダイオードＤ３２と、第２検出部３２と、を有している。第１検出部３１は、ダイオードＤ３１を介して入力端子１１に電気的に接続されている。第２検出部３２は、ダイオードＤ３２を介して入力端子１２に電気的に接続されている。第１検出部３１は、交流電圧Ｖａｃが負極性の半周期から正極性の半周期に移行する際のゼロクロス点を検出する。第２検出部３２は、交流電圧Ｖａｃが正極性の半周期から負極性の半周期に移行する際のゼロクロス点を検出する。
【００２３】
すなわち、第１検出部３１は、入力端子１１を正極とする電圧が規定値未満の状態から規定値以上の状態に移行したことを検出すると、ゼロクロス点と判断し、第１検出信号Ｚｃ１を制御部６に出力する。同様に、第２検出部３２は、入力端子１２を正極とする電圧が規定値未満の状態から規定値以上の状態に移行したことを検出すると、ゼロクロス点と判断し、第２検出信号Ｚｃ２を制御部６に出力する。規定値は０〔Ｖ〕付近に設定された値（絶対値）である。例えば、第１検出部３１の規定値は、＋数〔Ｖ〕程度であり、第２検出部３２の規定値は、−数〔Ｖ〕程度である。したがって、第１検出部３１及び第２検出部３２で検出されるゼロクロス点の検出点は、厳密な意味でのゼロクロス点（０〔Ｖ〕）から少し時間がずれる可能性がある。
【００２４】
入力部４は、ユーザによって操作される操作部から、調光レベルを表す信号を受け付け、制御部６に調光信号として出力する。入力部４は、調光信号を出力するのに際して、受け付けた信号を加工してもよいし、しなくてもよい。調光信号とは、負荷７の光出力の大きさを指定する数値等であって、負荷７を消灯状態とする「ＯＦＦレベル」を含む場合もある。なお、操作部は、ユーザの操作を受けて入力部４に調光レベルを表す信号を出力する構成であればよく、例えば可変抵抗器やロータリスイッチ、タッチパネル、リモートコントローラ、あるいはスマートフォン等の通信端末などである。
【００２５】
制御部６は、位相検出部３からの検出信号及び入力部４からの調光信号に基づいて双方向スイッチ２を制御する。制御部６は、スイッチ素子Ｑ１，Ｑ２の各々を別々に制御する。具体的には、制御部６は、第１制御信号Ｓｂ１にてスイッチ素子Ｑ１を制御し、第２制御信号Ｓｂ２にてスイッチ素子Ｑ２を制御する。また、制御部６は切替制御部６１を有し、切替制御部６１が第２充電部５２に切替信号Ｓａ１を出力している。この切替信号Ｓａ１により第２充電部５２を介して蓄電部５０に流れる電流の遮断・通過が切り替えられることで、蓄電部５０に充電電流を流す充電部として、消灯モードでは第１充電部５１が選択され、点灯モードでは第２充電部５２が選択される。
【００２６】
制御部６は、例えばマイコン（マイクロコンピュータ）を主構成として備えている。マイコンは、マイコンのメモリに記録されているプログラムをＣＰＵ（Central Processing Unit）で実行することにより、制御部６としての機能を実現する。プログラムは、予めマイコンのメモリに記録されていてもよいし、メモリカードのような記録媒体に記録されて提供されたり、電気通信回線を通して提供されたりしてもよい。言い換えれば、上記プログラムは、コンピュータ（ここではマイコン）を、制御部６として機能させるためのプログラムである。
【００２７】
スイッチ駆動部９は、スイッチ素子Ｑ１を駆動（オン／オフ制御）する第１駆動部９１と、スイッチ素子Ｑ２を駆動（オン／オフ制御）する第２駆動部９２と、を有している。第１駆動部９１は、制御部６から第１制御信号Ｓｂ１を受けて、スイッチ素子Ｑ１にゲート電圧を印加する。これにより、第１駆動部９１はスイッチ素子Ｑ１をオン／オフ制御する。同様に、第２駆動部９２は、制御部６から第２制御信号Ｓｂ２を受けて、スイッチ素子Ｑ２にゲート電圧を印加する。これにより、第２駆動部９２はスイッチ素子Ｑ２をオン／オフ制御する。第１駆動部９１は、スイッチ素子Ｑ１のソースの電位を基準にしてゲート電圧を生成する。第２駆動部９２も同様である。
【００２８】
停止部１３は、点灯モードにおいて、第２充電部５２が蓄電部５０に電流を流している状態で、電圧検出部６２で検出される電圧Ｖｃ１が所定の閾値Ｖｔｈ１に達すると、蓄電部５０での制御電源の生成を停止させる。本実施形態では、停止部１３は、一対の入力端子１１，１２の少なくとも一方と電源部５との間を電気的に遮断することにより、蓄電部５０での制御電源の生成を停止させる。停止部１３は電源部５と直列回路を構成し、停止部１３と電源部５との直列回路は、入力端子１１，１２間において双方向スイッチ２と、電気的に並列に接続される。具体的には、停止部１３は、一対のダイオードＤ１，Ｄ２の接続点と、電源部５との間に電気的に接続されたスイッチであって、制御部６からの停止信号Ｓｓ１を受けてオフし、入力端子１１，１２から電源部５を電気的に切り離す。
【００２９】
電源部５は、蓄電部５０と、第１充電部５１と、第２充電部５２と、を有している。電源部５は、ダイオードＤ１を介して入力端子１１に電気的に接続され、ダイオードＤ２を介して入力端子１２に電気的に接続されている。また、電源部５のグランドは、２個のスイッチ素子Ｑ１，Ｑ２の各々が備える寄生ダイオードの接続点に電気的に接続されている。これにより、２個のダイオードＤ１，Ｄ２と、２個のスイッチ素子Ｑ１，Ｑ２の各々が備える寄生ダイオードとで構成されるダイオードブリッジにて、入力端子１１，１２間に印加される交流電圧Ｖａｃが全波整流されて、電源部５に供給される。したがって、双方向スイッチ２がオフ状態にある場合、電源部５には、全波整流された交流電圧Ｖａｃ（ダイオードブリッジから出力される脈流電圧）が印加されることになる。
【００３０】
蓄電部５０はコンデンサＣ１を有し、蓄電部５０が制御部６及びスイッチ駆動部９の電源となる。コンデンサＣ１の両端電圧は例えば３〔Ｖ〕以上の一定電圧であるが、スイッチ駆動部９にはコンデンサＣ１の両端電圧を昇圧した電圧を印加してもよい。
【００３１】
第１充電部５１は、消灯モードにおいて、入力端子１１，１２からコンデンサＣ１（蓄電部５０）に電流を流す。第１充電部５１は、図２に示すように、抵抗Ｒ１，Ｒ２と、スイッチ素子Ｑ３と、ツェナーダイオードＺＤ１とを用いたシリーズ・レギュレータ回路である。停止部１３とコンデンサＣ１との間に抵抗Ｒ１とスイッチ素子Ｑ３とが直列に接続されている。スイッチ素子Ｑ３は例えばｎｐｎ形のバイポーラトランジスタであり、スイッチ素子Ｑ３のコレクタは抵抗Ｒ１に接続され、スイッチ素子Ｑ３のエミッタはコンデンサＣ１に接続されている。停止部１３とスイッチ素子Ｑ３のベースとの間には抵抗Ｒ２が接続されている。スイッチ素子Ｑ３のベースにはツェナーダイオードＺＤ１のカソードが接続され、ツェナーダイオードＺＤ１のアノードは電源部５のグランドに接続されている。消灯モードにおいて、ダイオードＤ１，Ｄ２を介して脈流電圧（交流電圧Ｖａｃを全波整流した電圧）が入力されると、第１充電部５１によって入力電圧が一定の直流電圧に変換され、インピーダンス要素である抵抗Ｒ１を介してコンデンサＣ１に充電電流が流れる。消灯モードでは入力電圧の最大値は１４０Ｖ程度になり、入力電流を数ｍＡとするために、抵抗Ｒ１の抵抗値は数百ｋΩに設定されている。
【００３２】
第２充電部５２は、負荷７の点灯モードにおいて、入力端子１１，１２からコンデンサＣ１（蓄電部５０）に電流を流す回路である。第２充電部５２はスイッチ素子Ｑ４，Ｑ５と抵抗Ｒ３，Ｒ４とダイオードＤ１１とを備えている。停止部１３とコンデンサＣ１との間にスイッチ素子Ｑ４とダイオードＤ１１とが直列に接続されている。スイッチ素子Ｑ４は例えばｐｎｐ形のバイポーラトランジスタであり、スイッチ素子Ｑ４のエミッタが停止部１３に接続され、スイッチ素子Ｑ４のコレクタはダイオードＤ１１を介してコンデンサＣ１に接続されている。スイッチ素子Ｑ４のベース・エミッタ間には抵抗Ｒ３が接続され、スイッチ素子Ｑ４のベースは抵抗Ｒ４とスイッチ素子Ｑ５とを介して電源部５のグランドに接続されている。スイッチ素子Ｑ５は例えばｎｐｎ形のバイポーラトランジスタであり、スイッチ素子Ｑ５のコレクタが抵抗Ｒ４に接続され、スイッチ素子Ｑ５のエミッタは電源部５のグランドに接続されている。スイッチ素子Ｑ５のベースは制御部６に接続されており、制御部６（切替制御部６１）からスイッチ素子Ｑ５のベースに切替信号Ｓａ１が入力される。切替信号Ｓａ１が「ＯＮ」信号であれば、スイッチ素子Ｑ５がオン、スイッチ素子Ｑ４がオンになり、第２充電部５２を介して電流が流れる状態となる。切替信号Ｓａ１が「ＯＦＦ」信号であれば、スイッチ素子Ｑ５がオフ、スイッチ素子Ｑ４がオフになり、第２充電部５２を介して電流が流れない状態となる。第２充電部５２では、スイッチ素子Ｑ４とダイオードＤ１１とを介してコンデンサＣ１に充電電流が流れるため、入力端子１１，１２から見たインピーダンスが第１充電部５１に比べて低インピーダンスとなっている。
【００３３】
なお、第１充電部５１及び第２充電部５２は上記の回路構成に限定されず、入力端子１１，１２から見たインピーダンスが第１充電部５１に比べて第２充電部５２の方が大きくなるような回路構成であれば適宜変更が可能である。
【００３４】
また、本実施形態では電圧検出部６２が、コンデンサＣ１の両端電圧Ｖｃ１を検出しており、両端電圧Ｖｃ１の検出値を制御部６に出力する（図２参照）。なお、電圧検出部６２は、両端電圧Ｖｃ１のそのままの値を検出してもよいし、分圧抵抗で分圧した電圧を検出してもよい。
【００３５】
制御部６は、切替時点（双方向スイッチ２がオン状態からオフ状態に切り替わる時点）から交流電圧Ｖａｃの半周期の終点までのオフ期間で、電圧検出部６２の検出値（電圧Ｖｃ１）が閾値Ｖｔｈ１に達すると、停止信号Ｓｓ１を「ＯＮ」信号から「ＯＦＦ」信号に切り替える。ここで、閾値Ｖｔｈ１は、少なくとも次の切替時点まで制御部６の動作を確保できる程度に、コンデンサＣ１が充電されたときのコンデンサＣ１の充電電圧とする。具体的には、調光レベルによらず、コンデンサＣ１の電圧Ｖｃ１が最小値Ｖmin（図３参照）を下回らないように、最小値Ｖminに所定のマージンを加えた値が閾値Ｖｔｈ１として設定される。ここでいう、「最小値Ｖmin」は制御部６などが正常に動作するために必要な電圧Ｖｃ１の最小値である。
【００３６】
停止部１３は、制御部６から入力される停止信号Ｓｓ１が「ＯＦＦ」信号である間は、蓄電部５０で制御電源を生成する動作を停止させる。本実施形態では、停止部１３は、一対の入力端子１１，１２の少なくとも一方と電源部５との間を電気的に遮断することによって、蓄電部５０での制御電源の生成を停止させる。停止部１３は電源部５と直列回路を構成する。停止部１３と電源部５との直列回路は、上記ダイオードブリッジを介して、一対の入力端子１１，１２間において双方向スイッチ２と、電気的に並列に接続される。
【００３７】
具体的には、停止部１３は、ダイオードＤ１，Ｄ２の接続点と、電源部５との間に電気的に接続されたスイッチであって、制御部６からの停止信号Ｓｓ１を受けてオン／オフする。停止部１３は、停止信号Ｓｓ１が「ＯＮ」信号であればオンになり、入力端子１１，１２に電源部５を電気的に接続する。停止部１３は、停止信号Ｓｓ１が「ＯＦＦ」信号であればオフになり、入力端子１１，１２から電源部５を電気的に切り離す。
【００３８】
なお、負荷７の点灯回路は、調光装置１で位相制御された交流電圧Ｖａｃの波形から調光レベルを読み取り、ＬＥＤ素子の光出力の大きさを変化させる。ここで、点灯回路は、一例としてブリーダ回路などの電流確保用の回路を有している。そのため、調光装置１の双方向スイッチ２が非導通となる期間においても、負荷７に電流を流すことが可能である。
【００３９】
（１．２）動作
（１．２．１）起動動作
まず、本実施形態の調光装置１の通電開始時の起動動作について説明する。
【００４０】
上述した構成の調光装置１によれば、入力端子１１，１２間に負荷７を介して交流電源８が接続されると、交流電源８から入力端子１１，１２間に印加される交流電圧Ｖａｃが整流されて電源部５に供給される。このとき、第１充電部５１を介してコンデンサＣ１が充電され、コンデンサＣ１の両端電圧が最小値Ｖminを超えると、制御部６が起動する。
【００４１】
制御部６が起動すると、制御部６は、位相検出部３の検出信号を基に交流電源８の周波数の判定を行う。そして、制御部６は、判定した周波数に応じて、予めメモリに記憶されている数値テーブルを参照し、各種の時間などのパラメータの設定を行う。ここで、入力部４に入力された調光レベルが「ＯＦＦレベル」であれば、制御部６は、双方向スイッチ２を双方向オフ状態に維持することで、入力端子１１，１２間のインピーダンスをハイインピーダンス状態に維持する。これにより、負荷７は消灯状態を維持する。
【００４２】
（１．２．２）調光動作
次に、本実施形態の調光装置１の調光動作について、図３を参照して説明する。図３では、交流電圧Ｖａｃ、第１検出信号Ｚｃ１、第２検出信号Ｚｃ２、第１制御信号Ｓｂ１、第２制御信号Ｓｂ２、コンデンサＣ１の電圧Ｖｃ１、及び停止信号Ｓｓ１を示している。
【００４３】
なお、本実施形態では、第１検出信号Ｚｃ１が「Ｈ」レベルから「Ｌ」レベルに変化することをもって、第１検出信号Ｚｃ１が発生したこととする。また、第２検出信号Ｚｃ２が「Ｈ」レベルから「Ｌ」レベルに変化することをもって、第２検出信号Ｚｃ２が発生したこととする。つまり、第１検出信号Ｚｃ１及び第２検出信号Ｚｃ２は、ゼロクロス点の検出時に「Ｈ」レベルから「Ｌ」レベルに変化する信号である。コンデンサＣ１の電圧Ｖｃ１、及び停止信号Ｓｓ１については、「（１．２．３）制御電源の生成動作」の欄で説明する。また、以下の説明において、「時点Ａから」という表現は、時点Ａを含む意味とする。例えば「第１時点から」は、第１時点を含む意味である。一方、「時点Ａまで」という表現は、時点Ａは含まず、時点Ａの直前までを意味する。例えば「半周期の終点まで」は、半周期の終点は含まず、半周期の終点の直前までを意味する。
【００４４】
まず、交流電圧Ｖａｃが正極性の半周期における調光装置１の動作について説明する。調光装置１は、位相制御の基準となる交流電圧Ｖａｃのゼロクロス点を位相検出部３で検出する。交流電圧Ｖａｃが負極性の半周期から正極性の半周期に移行する際には、交流電圧Ｖａｃが正極性の規定値「Ｖｚｃ」に達すると、第１検出部３１が第１検出信号Ｚｃ１を出力する。本実施形態では、第１検出信号Ｚｃ１の発生時点を第１時点ｔ１とし、正極性の半周期の始点（ゼロクロス点）ｔ０から第１時点ｔ１までの期間を、第一の期間Ｔ１とする。半周期の始点ｔ０から第１時点ｔ１までの第一の期間Ｔ１では、制御部６は、第１制御信号Ｓｂ１及び第２制御信号Ｓｂ２を「ＯＦＦ」信号にする。これにより、第一の期間Ｔ１では、２個のスイッチ素子Ｑ１，Ｑ２がいずれもオフになり、双方向スイッチ２が双方向オフ状態となる。第１時点ｔ１において、制御部６は、第１制御信号Ｓｂ１及び第２制御信号Ｓｂ２を「ＯＮ」信号にする。
【００４５】
第２時点ｔ２は、第１時点ｔ１から調光信号に応じた長さのオン時間が経過した時点である。第２時点ｔ２においては、制御部６は、第２制御信号Ｓｂ２を「ＯＮ」信号に維持したまま、第１制御信号Ｓｂ１を「ＯＦＦ」信号にする。これにより、第１時点ｔ１から第２時点ｔ２までの第二の期間Ｔ２には、２個のスイッチ素子Ｑ１，Ｑ２がいずれもオンになり、双方向スイッチ２が双方向オン状態となる。そのため、第二の期間Ｔ２には、交流電源８から双方向スイッチ２を介して負荷７へ電力が供給され、負荷７が点灯する。
【００４６】
第３時点ｔ３は、半周期の終点（ゼロクロス点）ｔ４よりも一定時間（例えば３００〔μｓ〕）だけ手前の時間である。第３時点ｔ３においては、制御部６は、第１制御信号Ｓｂ１及び第２制御信号Ｓｂ２を「ＯＦＦ」信号にする。これにより、第２時点ｔ２から第３時点ｔ３までの第三の期間Ｔ３には、２個のスイッチ素子Ｑ１，Ｑ２のうちスイッチ素子Ｑ１のみがオフし、双方向スイッチ２が逆方向オン状態となる。そのため、第三の期間Ｔ３には、交流電源８から負荷７への電力供給が絶たれる。
【００４７】
第３時点ｔ３から半周期の終点（ゼロクロス点）ｔ４までの第四の期間Ｔ４には、２個のスイッチ素子Ｑ１，Ｑ２がいずれもオフになり、双方向スイッチ２が双方向オフ状態となる。
【００４８】
また、交流電圧Ｖａｃが負極性の半周期における調光装置１の動作は、正極性の半周期と基本的に同様の動作となる。
【００４９】
負極性の半周期において、交流電圧Ｖａｃが負極性の規定値「−Ｖｚｃ」に達すると、第２検出部３２が第２検出信号Ｚｃ２を出力する。本実施形態では、負極性の半周期の始点ｔ０（ｔ４）から第２検出信号Ｚｃ２の発生時点である第１時点ｔ１までの期間を第一の期間Ｔ１とする。また、第２時点ｔ２は、第１時点ｔ１から調光信号に応じた長さのオン時間が経過した時点であり、第３時点ｔ３は、半周期の終点ｔ４（ｔ０）よりも一定時間（例えば３００〔μｓ〕）だけ手前の時間である。
【００５０】
第一の期間Ｔ１では、制御部６は、第１制御信号Ｓｂ１及び第２制御信号Ｓｂ２を「ＯＦＦ」信号にする。これにより、第一の期間Ｔ１には双方向スイッチ２が双方向オフ状態となる。そして、第１時点ｔ１において、制御部６は、第１制御信号Ｓｂ１及び第２制御信号Ｓｂ２を「ＯＮ」信号にする。これにより、第１時点ｔ１から第２時点ｔ２までの第二の期間Ｔ２には、２個のスイッチ素子Ｑ１，Ｑ２がいずれもオンになり、双方向スイッチ２が双方向オン状態となる。そのため、第二の期間Ｔ２には、交流電源８から双方向スイッチ２を介して負荷７へ電力が供給され、負荷７が点灯する。
【００５１】
第２時点ｔ２においては、制御部６は、第１制御信号Ｓｂ１を「ＯＮ」信号に維持したまま、第２制御信号Ｓｂ２を「ＯＦＦ」信号にする。第３時点ｔ３においては、制御部６は、第１制御信号Ｓｂ１及び第２制御信号Ｓｂ２を「ＯＦＦ」信号にする。これにより、第２時点ｔ２から第３時点ｔ３までの第三の期間Ｔ３には、２個のスイッチ素子Ｑ１，Ｑ２のうちスイッチ素子Ｑ２のみがオフし、双方向スイッチ２が逆方向オン状態となる。そのため、第三の期間Ｔ３には、交流電源８から負荷７への電力供給が絶たれる。第３時点ｔ３から半周期の終点ｔ４までの第四の期間Ｔ４には、２個のスイッチ素子Ｑ１，Ｑ２がいずれもオフになり、双方向スイッチ２が双方向オフ状態となる。
【００５２】
本実施形態の調光装置１は、以上説明した正極性の半周期の動作と負極性の半周期の動作とを交流電圧Ｖａｃの半周期ごとに交互に繰り返すことで、負荷７の調光を行う。ここで、「双方向オン状態」はオン状態であり、「逆方向オン状態」はオフ状態であるから、双方向スイッチ２が双方向オン状態から逆方向オン状態に切り替わる時点、つまり第２時点ｔ２は「切替時点」に相当する。そして、第１時点ｔ１から切替時点（第２時点ｔ２）までの時間（オン時間）は、入力部４に入力された調光レベルに応じた時間であるので、半周期において入力端子１１，１２間が導通する時間は、調光レベルに従って規定されることになる。さらに、正極性の規定値「Ｖｚｃ」及び負極性の規定値「−Ｖｚｃ」が固定値であれば、半周期の始点ｔ０から第１時点（第１検出信号Ｚｃ１又は第２検出信号Ｚｃ２の発生時点）ｔ１までの時間は、略固定長の時間になる。
【００５３】
そのため、半周期の始点ｔ０から切替時点（第２時点ｔ２）までの時間（第一の期間Ｔ１）と、調光レベルに応じて長さが変化するオン時間（第二の期間Ｔ２）とを合計した時間である「可変時間」は、調光レベルに応じて長さが変化することになる。言い換えれば、可変時間は可変長の時間であって、交流電圧Ｖａｃに対する切替時点（第２時点ｔ２）の位相は調光レベルに応じて変化する。すなわち、負荷７の光出力を小さくする場合には可変時間は短く、負荷７の光出力を大きくする場合には可変時間は長く規定される。そのため、入力部４に入力される調光レベルに応じて、負荷７の光出力の大きさを変えることが可能である。
【００５４】
また、交流電圧Ｖａｃの半周期の後半、具体的には切替時点（第２時点ｔ２）から半周期の終点ｔ４までの期間（第三の期間Ｔ３及び第四の期間Ｔ４）には、双方向スイッチ２がオフ状態（逆方向オン状態又は双方向オフ状態）となる。本実施形態では、第三の期間Ｔ３及び第四の期間Ｔ４を合計した期間が「オフ期間」に相当する。調光装置１は、このオフ期間を用いて交流電源８から電源部５への電力供給を確保できる。電源部５の動作について詳しくは、「（１．２．３）制御電源の生成動作」の欄で説明する。
【００５５】
なお、交流電源８から電源部５への電力供給の確保を優先してオフ期間を設定してもよく、その場合には、入力部４に入力された調光レベルに応じて負荷７へ電力を供給する第二の期間Ｔ２が調光レベルの設定に比べて短くなる場合がある。例えば、ユーザが操作部を負荷７の光出力を最大にするように操作しても、オフ期間（第三期間Ｔ３及び第四の期間Ｔ４）の設定が優先され、入力部からの調光信号の通りには第二の期間Ｔ２が設定されないことがある。
【００５６】
（１．２．３）制御電源の生成動作
制御部６の切替制御部６１は、蓄電部５０に充電電流を流す充電部として、消灯モードでは第１充電部５１を選択し、点灯モードでは第２充電部５２を選択する。
【００５７】
消灯モードでは切替制御部６１は切替信号Ｓａ１を「ＯＦＦ」信号に切り替える。切替信号Ｓａ１が「ＯＦＦ」信号になれば、スイッチ素子Ｑ５，Ｑ４が共にオフになり、第２充電部５２からはコンデンサＣ１に充電電流が流れず、第１充電部５１を介してコンデンサＣ１に充電電流が流れる状態となる。すなわち、消灯モードでは、蓄電部５０に充電電流を流す充電部として第１充電部５１が選択される。なお、スイッチ素子Ｑ４とコンデンサＣ１との間にはダイオードＤ１１が接続されているので、第１充電部５１からコンデンサＣ１に流れる電流が第２充電部５２に流れ込むことはない。
【００５８】
消灯モードでは、双方向スイッチ２がオフ状態となり、交流電圧Ｖａｃをダイオードブリッジで全波整流した脈流電圧が電源部５に入力される。このとき、電源部５では第１充電部５１を介してコンデンサＣ１に充電電流が流れるから、第２充電部５２を介してコンデンサＣ１に電流が流れる場合に比べて充電電流が抑制され、回路部品に加わるストレスを低減できる。したがって、コンデンサＣ１に流れる充電電流を抑制しつつ、コンデンサＣ１に制御部６及びスイッチ駆動部９の動作に必要な電力が確保される。
【００５９】
次に、点灯モードにおける電源部５の動作について図３を参照して説明する。
【００６０】
点灯モードにおいて双方向スイッチ２がオン状態となるオン時間（第二の期間Ｔ２）では、入力端子１１，１２間に発生する電圧は非常に小さくなり、電源部５では蓄電部５０を充電できない。すなわち、電源部５は双方向スイッチ２のオフ時間（第一の期間Ｔ１、第三の期間Ｔ３、第四の期間Ｔ４）でしか蓄電部５０を充電できず、本実施形態の電源部５は第三の期間Ｔ３及び第四の期間Ｔ４において蓄電部５０を充電する。
【００６１】
また、点灯モードにおいて、調光レベルが大きくなって調光レベルの上限値に近づくと、第二の期間Ｔ２が長くなって蓄電部５０を充電可能な時間（第三の期間Ｔ３及び第四の期間Ｔ４の合計時間）が短くなる。また、第三の期間Ｔ３及び第四の期間Ｔ４において入力端子１１，１２に印加される交流電圧Ｖａｃの電圧値も小さくなる。そのため、電源部５は、交流電圧Ｖａｃが低電圧であっても、短時間で蓄電部５０を充電する必要がある。
【００６２】
そこで、点灯モードにおいて、切替制御部６１は、交流電圧Ｖａｃの半周期ごとに第２時点ｔ２から半周期の終点ｔ４まで切替信号Ｓａ１を「ＯＮ」信号に切り替える。切替信号Ｓａ１が「ＯＮ」信号になれば、スイッチ素子Ｑ５がオンになって、スイッチ素子Ｑ４がオンになり、第２充電部５２を介してコンデンサＣ１に充電電流が流れる状態となる。また、制御部６は、オフ時間の始点である切替時点（第２時点ｔ２）においては、停止部１３へ出力する停止信号Ｓｓ１を「ＯＮ」信号にしており、電源部５を入力端子１１，１２に電気的に接続している。
【００６３】
よって、第２時点ｔ２から半周期の終点ｔ４までのオフ時間（第三の期間Ｔ３及び第四の期間Ｔ４）において、第２充電部５２が交流電源８から電力供給を受けて蓄電部５０に充電電流を流し、制御電源を生成する。そのため、第２時点ｔ２からコンデンサＣ１の充電が開始され、コンデンサＣ１の電圧Ｖｃ１が徐々に大きくなる。なお、第２充電部５２は、入力端子１１，１２から見たインピーダンスが第１充電部５１に比べて低インピーダンスであるから、コンデンサＣ１に流れる充電電流が大きくなり、コンデンサＣ１がより短い時間で充電される。
【００６４】
また、制御部６は、オフ時間（蓄電部５０を充電する期間）において、コンデンサＣ１の電圧Ｖｃ１と閾値Ｖｔｈ１とを比較し、電圧Ｖｃ１が閾値Ｖｔｈ１に達すると、停止信号Ｓｓ１を「ＯＮ」信号から「ＯＦＦ」信号に切り替える。停止信号Ｓｓ１を「ＯＦＦ」信号に切り替えた後、制御部６は、少なくとも次の第１時点（第１検出信号Ｚｃ１又は第２検出信号Ｚｃ２の発生時点）ｔ１までは、停止信号Ｓｓ１を「ＯＦＦ」信号に維持する。
【００６５】
停止信号Ｓｓ１が「ＯＦＦ」信号である間、停止部１３は、入力端子１１，１２から電源部５を電気的に切り離すことで、蓄電部５０での制御電源の生成を停止させる。そのため、オフ時間であっても、常に第２充電部５２からコンデンサＣ１に充電電流が流れるのではなく、コンデンサＣ１が充電されてコンデンサＣ１の電圧Ｖｃ１が閾値Ｖｔｈ１に達した以降は、コンデンサＣ１の充電が停止される。コンデンサＣ１の充電が停止すると、コンデンサＣ１に蓄積された電荷が制御部６で消費されることにより、コンデンサＣ１の電圧Ｖｃ１は徐々に小さくなる。
【００６６】
本実施形態では、制御部６は、第１時点（第１検出信号Ｚｃ１又は第２検出信号Ｚｃ２の発生時点）ｔ１において、停止信号Ｓｓ１が「ＯＦＦ」信号であれば、停止信号Ｓｓ１を「ＯＮ」信号に切り替える。第１時点ｔ１において停止信号Ｓｓ１が「ＯＮ」信号であれば、制御部６は、停止信号Ｓｓ１を「ＯＮ」信号に維持する。これにより、停止部１３は、オフ期間において電源部５での制御電源の生成を停止させた場合、位相検出部３にて交流電圧Ｖａｃの位相（ゼロクロス点）が検出された直後に、電源部５での制御電源の生成を再開させることになる。ただし、第１時点ｔ１から第２時点（切替時点）ｔ２までの第二の期間Ｔ２においては、双方向スイッチ２がオン状態（双方向オン状態）にあって、そもそも交流電源８から電源部５への電力供給を確保できないため、電源部５での制御電源の生成は行われない。なお、交流電圧Ｖａｃの半周期の始点ｔ０から第１時点ｔ０までの期間は双方向スイッチ２がオフ状態であるから、この期間に第２充電部５２が蓄電部５０に充電電流を流す充電動作を行ってもよい。
【００６７】
（１．４）利点
本実施形態の調光装置１では、切替制御部６１が点灯モードにおいて蓄電部５０に充電電流を流す充電部を第２充電部５２に切り替えている。したがって、調光レベルが大きくなり、蓄電部５０に電流が流れる充電期間が短くなった場合でも、第２充電部５２から蓄電部５０に流れる充電電流を大きくすることで、蓄電部５０を短時間で充電することが可能になる。負荷の種類によっては、交流電圧Ｖａｃの半周期におけるオン時間の割合が高くなり、それに伴い、蓄電部５０に電流が流れる充電期間が短くなる可能性があるが、本実施形態の調光装置１によれば、第２充電部５２によって蓄電部５０を急速に充電できる。したがって、蓄電部５０に、制御部６などを動作させるのに必要な電力を蓄積できるようになり、より多くの種類の負荷に対応可能になる、という利点がある。
【００６８】
また、本実施形態のように、第２充電部５２は、切替制御部６１から入力される切替信号Ｓａ１に応じて、一対の入力端子１１，１２から蓄電部５０に流れる電流の遮断・通過を切り替えるスイッチ素子Ｑ４を有してもよい。スイッチ素子Ｑ４がオン状態になることで、入力端子１１，１２から見たインピーダンスが第１充電部５１に比べて小さくでき、第１充電部５１に比べて大きな電流を蓄電部５０に流すことができるから、蓄電部５０を短時間で充電できる。
【００６９】
また、本実施形態のように、調光装置１は、交流電圧Ｖａｃの位相を検出する位相検出部３を、更に備えてもよい。制御部６は、点灯モードにおいて位相検出部３からの検出信号に基づき交流電圧Ｖａｃの半周期の始点から、オン時間を含めた可変時間が経過するまで、双方向スイッチ２をオン状態に制御すればよい。
【００７０】
調光装置の制御方式には、逆位相制御方式（トレーリングエッジ方式）の他、交流電圧Ｖａｃの半周期の途中からゼロクロス点までの期間に一対の入力端子１１，１２間が導通する、正位相制御方式（リーディングエッジ方式）がある。逆位相制御方式は、光源としてのＬＥＤ素子を備えた負荷７に、ゼロクロス点から電力供給を開始するため、電力供給開始時の電流波形歪みを小さく抑えることができる。これにより、調光装置に接続可能な負荷７の数（灯数）が増えたり、うなり音の発生を抑制できたりする利点がある。
【００７１】
なお、本実施形態の調光装置１は、基本的に逆位相制御方式を採用しつつも、半周期の始点（ゼロクロス点）ｔ０からやや遅れた第１時点（第１検出信号Ｚｃ１又は第２検出信号Ｚｃ２の発生時点）ｔ１にて負荷７に電力供給を開始している。そのため、ゼロクロス点にて負荷７への電力供給を開始する逆位相制御方式よりも電流波形歪みは大きくなる可能性がある。ただし、第１時点ｔ１での交流電圧Ｖａｃの絶対値はそれほど大きくはないため、電流波形歪みの影響は無視できるほど小さい。
【００７２】
また、本実施形態のように、調光装置１は、蓄電部５０の電圧Ｖｃ１を検出する電圧検出部６２と、一対の入力端子１１，１２から第２充電部５２に流れる電流の遮断・通過を切り替える停止部１３と、を更に備えてもよい。制御部５は、点灯モードにおいて、第２充電部５２が蓄電部５０に電流を流している状態で、電圧検出部６２が検出した電圧Ｖｃ１が所定の閾値Ｖｔｈ１に達すると、一対の入力端子１１，１２から第２充電部５２に流れる電流を遮断する状態に停止部１３を切り替えてもよい。
【００７３】
蓄電部５０の電圧Ｖｃ１が閾値Ｖｔｈ１に達すると、第２充電部５２による充電動作が停止されるから、停止部１３がない場合に比べて入力端子１１，１２間に印加される電圧と交流電圧Ｖａｃとの間にずれが生じにくくなる。したがって、位相検出部３で交流電圧Ｖａｃの位相をより正確に検出でき、位相制御の制御性が向上する、という利点がある。
【００７４】
（１．５）変形例
（１．５．１）変形例１
上記実施形態の変形例１に係る調光装置１Ａは、図４に示すように、双方向スイッチ２に相当する部分が、上記実施形態の調光装置１と相違する。以下、上記実施形態と同様の構成については共通の符号を付して適宜説明を省略する。
【００７５】
本変形例では、双方向スイッチ２Ａが、ダブルゲート構造のスイッチ素子Ｑ６を含む。スイッチ素子Ｑ６は、例えばＧａＮ（窒化ガリウム）などのワイドバンドギャップの半導体材料を用いたダブルゲート（デュアルゲート）構造の半導体素子である。さらに、双方向スイッチ２Ａは、入力端子１１，１２間において、いわゆる逆直列に接続された一対のダイオードＤ３，Ｄ４を含んでいる。ダイオードＤ３のカソードは入力端子１１に接続され、ダイオードＤ４のカソードは入力端子１２に接続されている。両ダイオードＤ３，Ｄ４のアノードは、電源部５のグランドに電気的に接続されている。なお、本変形例では、一対のダイオードＤ３，Ｄ４が、一対のダイオードＤ１，Ｄ２と共にダイオードブリッジを構成する。
【００７６】
本変形例の構成によれば、双方向スイッチ２Ａは、双方向スイッチ２に比較して導通損失のさらなる低減を図ることができる。
【００７７】
（１．５．２）その他の変形例
以下、上述した変形例１以外の実施形態の変形例を列挙する。
【００７８】
上述した実施形態及び変形例１の調光装置は、光源としてＬＥＤ素子を用いた負荷７に限らず、有機ＥＬ（Electroluminescence）素子や放電灯など、様々な光源の負荷７に適用可能である。
【００７９】
制御部６による双方向スイッチ２の制御方式は、上述した例に限らず、例えば、交流電圧Ｖａｃと同じ周期で第１制御信号Ｓｂ１と第２制御信号Ｓｂ２とを交互に「ＯＮ」信号とする方式であってもよい。この場合、２個のスイッチ素子Ｑ１，Ｑ２のうち、交流電圧Ｖａｃの高電位側となるスイッチ素子がオンしている期間に、双方向スイッチ２が導通することになる。つまり、この変形例では、交流電圧Ｖａｃのゼロクロス点から半周期の途中までの期間に一対の入力端子１１，１２間が導通する、いわゆる逆位相制御が実現される。この場合、第１制御信号Ｓｂ１及び第２制御信号Ｓｂ２と交流電圧Ｖａｃとの位相差を調節することで、双方向スイッチ２の導通時間を調節することができる。
【００８０】
また、双方向スイッチ２の制御方式は、逆位相制御方式（トレーリングエッジ方式）に限らず、交流電圧Ｖａｃの半周期の途中からゼロクロス点までの期間に一対の入力端子１１，１２間が導通する、正位相制御方式（リーディングエッジ方式）でもよい。
【００８１】
また、スイッチ駆動部９は、調光装置１に必須の構成ではなく、適宜省略されていてもよい。スイッチ駆動部９が省略される場合、制御部６が直接的に双方向スイッチ２を駆動する。
【００８２】
また、双方向スイッチ２を構成する２個のスイッチ素子Ｑ１，Ｑ２の各々は、エンハンスメント形のｎチャネルＭＯＳＦＥＴに限らず、例えばＩＧＢＴ（Insulated Gate Bipolar Transistor）などであってもよい。さらに、双方向スイッチ２において、一方向オン状態を実現するための整流素子（ダイオード）は、スイッチ素子Ｑ１，Ｑ２の寄生ダイオードに限らず、変形例１のように外付けのダイオードであってもよい。ダイオードは、スイッチ素子Ｑ１，Ｑ２の各々と同一パッケージに内蔵されていてもよい。また、上述した実施形態及び変形例１でのダイオードＤ１，Ｄ２は調光装置１に必須の構成ではなく、ダイオードＤ１，Ｄ２は適宜省略されていてもよい。
【００８３】
また、第一の期間Ｔ１は一定長さの時間であればよく、その長さは適宜設定可能である。例えば、半周期の始点（ゼロクロス点）ｔ０から検出点までの期間と、検出点から一定の遅延時間が経過するまでの期間の合計が第一の期間Ｔ１である場合、遅延時間は３００〔μｓ〕に限らず、０〔μｓ〕〜５００〔μｓ〕の範囲で適宜設定される。
【００８４】
また、第３時点ｔ３は半周期の終点（ゼロクロス点）ｔ４の手前にあればよく、第３時点ｔ３から半周期の終点ｔ４までの長さは適宜設定可能である。例えば、検出点から第３時点ｔ３までの時間長さが、半周期よりも一定の規定時間だけ短い場合、規定時間は３００〔μｓ〕に限らず、１００〔μｓ〕〜５００〔μｓ〕の範囲で適宜設定される。
【００８５】
また、停止部１３は、点灯モードにおいて電圧検出部６２で検出される電圧Ｖｃ１が閾値Ｖｔｈ１に達すると、蓄電部５０での制御電源の生成を停止させる構成であればよく、制御部６からの停止信号Ｓｓ１にて停止部１３が制御されることは必須の構成ではない。例えば、電圧検出部６２の検出値を閾値Ｖｔｈ１と比較する機能が停止部１３に付加され、この比較結果により、停止部１３が蓄電部５０での制御電源の生成を停止させてもよい。また、電圧検出部６２は制御部６に設けられていてもよい。この場合、例えば制御部６のＡ／Ｄ変換入力端子にコンデンサＣ１が接続されていれば、コンデンサＣ１の電圧Ｖｃ１がアナログ値として制御部６に入力される。
【００８６】
また、停止部１３は、一対の入力端子１１，１２の少なくとも一方と電源部５との間を電気的に遮断する構成に限定されない。例えば、停止部１３は、電源部５の出力（制御電源の出力）を停止することで電源部５の入力インピーダンスを高くし、電源部５での制御電源の生成を停止させる構成であってもよい。
【００８７】
（その他の実施形態）
上述の実施形態（変形例を含む）では、上述した第２時点ｔ２から第３時点ｔ３までの第三の期間Ｔ３において、交流電源８から電源部５への電力供給を確保しているが、これに限られない。
【００８８】
上述した第２時点ｔ２から交流電圧Ｖａｃの半周期の終点ｔ４（ゼロクロス点）までの期間（第三の期間Ｔ３、第四の期間Ｔ４）に亘って、交流電源８から電源部５への電力供給を確保してもよい。また、交流電圧Ｖａｃの半周期の始点（ゼロクロス点）ｔ０の後（第１の期間Ｔ１）のみ、一定時間の間、交流電源８から電源部５への電力供給を確保してもよい。交流電圧Ｖａｃの半周期の始点（ゼロクロス点）ｔ０の前後（第三の期間Ｔ３、第四の期間Ｔ４、第一の期間Ｔ１）に亘って、交流電源８から電源部５への電力供給を確保してもよい。
【００８９】
双方向スイッチ２のオフ期間において、交流電源８から電源部５への電力供給を行うことで、制御部６を安定動作させることができる。
【符号の説明】
【００９０】
１，１Ａ  調光装置
２，２Ａ  双方向スイッチ
３  位相検出部
４  入力部
６  制御部
７  照明負荷
８  交流電源
１１，１２  入力端子
１３  停止部
５０  蓄電部
５１  第１充電部
５２  第２充電部
６１  切替制御部
Ｑ４  スイッチ素子
Ｓａ１  切替信号
Ｖｃ１  蓄電部の電圧
Ｖｔｈ１  閾値
【図１】
0006534102.tif 000002
【図２】
0006534102.tif 000003
【図３】
0006534102.tif 000004
【図４】
0006534102.tif 000005